(57)【要約】【課題】犬が好む飼い主の匂いが付着したものを用いて、犬を飽きさせることなく長期間に亘って遊ばせることのできるペット用玩具を提供する。【解決手段】収容体１の内部に被収容物２を収容するペット用玩具Ｔであって、前記収容体１が、少なくとも一部に通気性を有するものであり、前記被収容物２が、飼い主の匂いが付着したものである構成とする。犬に喜びと共に安心感を与える飼い主の匂いが付着した被収容物２を、少なくとも一部に通気性を有する収容体１の内部に収容することにより、犬が該収容体１の匂いを嗅ぐと、喜びと共に安心感も与えられて、興味を失うことなく長期間に亘って遊ばせることができる。【選択図】図２
2015221030.tif 000002
【特許請求の範囲】
【請求項１】
収容体の内部に被収容物を収容するペット用玩具であって、
前記収容体が、少なくとも一部に通気性を有するものであり、
前記被収容物が、飼い主の匂いが付着したものであること、
を特徴とするペット用玩具。
【請求項２】
前記収容体の外部から前記被収容物が視認できないこと、を特徴とする請求項１に記載のペット用玩具。
【請求項３】
前記収容体が抗菌性を有すること、を特徴とする請求項１又は２に記載のペット用玩具。
【請求項４】
前記収容体の少なくとも表面がファブリック素材で形成されていること、を特徴とする請求項１〜３のうちのいずれかに記載のペット用玩具。
【請求項５】
前記収容体が合成樹脂で形成されていること、を特徴とする請求項１〜３のうちのいずれかに記載のペット用玩具。
【請求項６】
請求項１〜５のうちのいずれかに記載のペット用玩具に前記被収容物を収容し、前記ペット用玩具に付与してペットを遊ばせること、を特徴とするペットを遊ばせる方法。
【発明の詳細な説明】
【技術分野】
【０００１】
本発明は、ペット用玩具及びこれを用いたペットを遊ばせる方法に関し、更に詳しくは、犬が好む飼い主の匂いが付着したものを用いて、犬を飽きさせることなく長期間に亘って遊ばせることのできるペット用玩具及びこれを用いたペットを遊ばせる方法に関する。
【背景技術】
【０００２】
ペットのなかでも、とりわけ犬は、愛くるしくて人に忠実なことから人気が高く、特に近年では、家族の一員のように犬を飼っている家庭も少なくない。そのような家庭では、家族に注ぐのに近い愛情を犬にも注いでおり、体調管理に良いとされるペットフードや、知育に良いとされるペット用玩具等の需要も高い。
【０００３】
かかる事情から、巷では、種々のペット用品が発売されており、それに伴い、ペット用品に関する特許出願や実用新案登録出願も数多くなされている。
【０００４】
その一つとして、例えば特許文献１（特開２００２−２６２６９７号公報）においては、弾性変形自在な軟質材により、その断面形状を凹凸に形成した犬のおもちゃが提案されている。
【０００５】
上記特許文献１の犬のおもちゃは、その断面形状を凹凸にすることにより、犬がおもちゃを噛むと、おもちゃが全体として曲がり変形したり、凹凸を引き伸ばすように変形したりする。このように、おもちゃが複雑に弾性変形することにより、犬の歯には複雑な刺激が与えられて、長時間おもちゃを噛み続けても犬が飽きないようにしている。
【０００６】
また、特許文献２（特開２０１３−２２３４３１号公報）においては、可撓性又は弾力性を有する盤状の玩具本体の外周部に、中央部よりも膨出した膨らみ部を環状に配設するとともに、犬が玩具本体を噛んだり咥えたりすると、音が出る音発生器を玩具本体に設けたペット用玩具が提案されている。
【０００７】
上記特許文献２のペット用玩具は、玩具本体を噛むと音が出るようにすることにより、聴覚が刺激されて犬が長期間に亘って興味を失うことなく遊ぶことができるようにしたものである。
【先行技術文献】
【特許文献】
【０００８】
【特許文献１】特開２００２−２６２６９７号公報
【特許文献２】特開２０１３−２２３４３１号公報
【発明の概要】
【発明が解決しようとする課題】
【０００９】
上記特許文献１や特許文献２のペット用玩具は、主に犬の噛む・聴く能力を刺激して楽しませるようにした玩具である。周知のように、犬には、この噛む・聴く能力の他にも、人が到底及ばない能力を有する。即ち、人の１００万倍から１億倍とも言われるように、犬の嗅覚は大変優れており、匂いを嗅ぐことで、犬は様々な情報を仕入れている。匂いの種類によって、犬は興味を惹かれたり安心したりもするし、逆に不安になったり緊張したりもする。このように、犬にとって匂いは、人以上に重要な役割を果たすものである。
【００１０】
そこで、本発明者は、上記のような犬の特性に着目して注意深く観察した結果、例えば、飼い主の靴等を犬小屋に持ち帰ったりして、犬は飼い主の匂いを嗅ぐと大変喜び安心することに着目し、この飼い主の匂いを利用した商品開発のために鋭意研究を重ねた。
【００１１】
即ち、本発明の目的とするところは、犬をはじめとするペットが好む飼い主の匂いが付着したものを用いることにより、ペットを飽きさせることなく長期間に亘って遊ばせることのできるペット用玩具とペットを遊ばせる方法を提供することにある。
【課題を解決するための手段】
【００１２】
上記のような目的を達成するため、本発明に係るペット用玩具は、収容体の内部に被収容物を収容するペット用玩具であって、前記収容体が、少なくとも一部に通気性を有する部分を含むものであり、前記被収容物が、飼い主の匂いが付着したものであること、を特徴とするものである。本発明におけるペットとは、犬、猫、ウサギ等、およそ飼い主の匂いを好む動物を全て含む概念である。
【００１３】
本発明のペット用玩具において、「収容体の内部に被収容物を収容する」とは、被収容物を収容体の内部に完全に収容する態様に限定されず、被収容物の一部を収容体で保持する態様も含むものである。被収容物が収容体によって保持される場合、当該被収容物の一部が当該収容体の外に位置してもよい。
【００１４】
本発明のペット用玩具においては、前記収容体の外部から前記被収容物が視認できないことが好ましく、前記収容体が抗菌性を有することがより好ましい。また、前記収容体の少なくとも表面がファブリック素材で形成されているペット用玩具や、或いは、前記収容体が合成樹脂で形成されているペット用玩具などが好ましい。
【００１５】
また、本発明のペットを遊ばせる方法は、上記のような構成のペット用玩具を、ペットに転がさせたり咥えさせたり噛み付かせたりして遊ばせること、を特徴とするものである。
【発明の効果】
【００１６】
本発明のペット用玩具によれば、犬の優れた嗅覚を利用することにより、犬を飽きさせることなく長期間に亘って遊ばせることができる。即ち、犬の好む匂いは数多いが、そのなかでも、とりわけ飼い主の匂いは、犬に喜びと共に安心感を与える。そこで本発明のペット用玩具によれば、この飼い主の匂いが付着した被収容物を、少なくとも一部に通気性を有する収容体の内部に収容することにより、犬が該収容体の匂いを嗅ぐと、喜びと共に安心感も与えられて、興味を失うことなく長期間に亘って遊ばせることができる。もちろん、自分の匂いが付着したもので犬が楽しそうに遊んでいるのを見ていると、犬だけでなく、飼い主も喜びを感じることができる。
【００１７】
なお、収容体の内部に収容される被収容物は、飼い主の匂いが付着したものであれば、特に限定されるものではないが、飼い主の使用した古着等を利用すると、本来であれば廃棄されるはずのものを再利用することになり、リサイクルの観点からも好ましい。この点、被収容物が飼い主の古着等の場合は、あまり人に見られたくないが、前記収容体の外部から前記被収容物が視認しにくいペット用玩具のように、外部から被収容物を視認しにくい構成とすることができる。なお、ここで言う、「収容体の外部から被収容物が視認しにくい」とは、被収容物を収容体の外部から直接的には視認できないことを意味するのであって、被収容物を、例えばネットのような袋体で包んだ場合、該ネットまでもが収容体の外部から視認できないことを意味するものではない。
【００１８】
次に、前記収容体が抗菌性を有するペット用玩具は、玩具を犬が何回も噛んだり咥えたりしても、衛生的に使用することができる。
【００１９】
また、前記収容体の少なくとも表面がファブリック素材で形成されているペット用玩具は、少なくとも表面を柔らか素材のファブリックで形成することにより、怪我の心配なく犬を安全に遊ばせることができる。
【００２０】
一方、前記収容体が合成樹脂で形成されているペット用玩具は、上記ファブリック素材に比べると重量があるので、ボール遊び等に好適に用いられる態様である。
【００２１】
次に、本発明のペットを遊ばせる方法は、上記のような優れた効果を奏するペット用玩具を、飼い犬に転がさせたり咥えさせたり噛み付かせたりして遊ばせることを特徴とするものであり、犬に喜びと共に安心感を与えながら、長期間に亘って飽きさせることなく遊ばせることができるものである。したがって、犬とのコミュニケーションも取り易くなり、躾の効果も向上する。
【図面の簡単な説明】
【００２２】
【図１】本発明の一実施形態に係るペット用玩具を示す平面図である。
【図２】同ペット用玩具の収容体に被収容物を収容する過程を示す斜視図である。
【図３】本発明の第二の実施形態に係るペット用玩具を示す斜視図である。
【図４】本発明の第三の実施形態に係るペット用玩具を示す斜視図である。
【図５】本発明の第四の実施形態に係るペット用玩具を示す斜視図である。
【図６】本発明の第四の実施形態に係るペット用玩具の分解図である。
【図７】本発明の第五の実施形態に係るペット用玩具を示す斜視図である。
【発明を実施するための形態】
【００２３】
以下、図面を参照して本発明のペット用玩具の代表的な実施形態を詳述する。
【００２４】
図１に示す実施形態のペット用玩具Ｔは、主として犬を遊ばせるために開発されたボール型玩具であって、犬が特に好む飼い主の匂いが付着したものを利用することにより、犬を飽きさせることなく長期間に亘って遊ばせることができるように構成されている。
【００２５】
そのため、本実施形態に係るペット用玩具Ｔは、図２に示すように、収容体１の内部に、飼い主の匂いが付着した被収容物２を収容するという構成を有している。本実施形態の収容体１は、内部が空洞のゴム球体の外周面にフェルトを貼着した、所謂テニスボール型の玩具であり、その直径もテニスボールと同等の約７０ｍｍ程度となっている。このように、ゴム球体の外周面にフェルトを貼着したものを収容体１に選択すると、テニスボールと同じようによく弾むので、飼い犬とボール遊びをするのに好適な玩具となる。なお、フェルトのみで球体及び収容体１を構成してもよい。
【００２６】
上記収容体１の内部に収容される被収容物２は、飼い主の匂いが付着したものであれば、特に限定されるものではないが、飼い主の古着や使い古した靴等を被収容物２とすれば、犬が満足できるだけの匂いが十分に付着しており、また、本来であれば廃棄処分されるものを再利用することになるので、リサイクルの観点からも好ましい。したがって、靴下、Ｔシャツ、ワイシャツ、パンツ、パジャマ、スウェット、タオル、ブランケット等の飼い主の古着や、使い古したスニーカー等が被収容物２として好ましく、特に、上記古着は、形状を容易に変形できるので好ましい。
【００２７】
但し、本実施形態の収容体１は、上記のようにテニスボール大なので、あまり大きな被収容物２は収容できない。そのため、パンツや靴下等、古着の中でも比較的小さい被収容物２が好適に収容体１の内部に収容される。なお、図２において、本発明の理解を容易にするため、収容体１と被収容物２の寸法比率を、実物とは異なるものとしているが、実際の収容体１に対する被収容物２の寸法比率は、図面よりも大きいものである。
【００２８】
上記のように、本実施形態の収容体１は、ゴム球体の外周面にフェルトを貼着したものであるため、そのままでは通気性を有しない。本発明のペット用玩具Ｔは、飼い主の匂いで犬の興味を惹き、飽きさせることなく長期間に亘って遊ばせるようにしたものである。したがって、収容体１が通気性を有しないと、その内部に飼い主の匂いが付着した被収容物２を収容しても、犬が飼い主の匂いを認識できず、その意義が半減する。また、上記被収容物２を収容する際の搬入口となるスペースも必要である。そこで、図２に示すように、収容体１には、次に説明する開口部１ａが設けられている。フェルトのみで球体及び収容体１を構成する場合は、例えば、フェルトの目付（密度）、厚さ又は通気性等を調整することにより、犬が匂いを嗅ぐことができるようにすることができる。
【００２９】
上記開口部１ａは、ボールの縫い目に沿って表面のフェルト部分と中身のゴム球体を半円状に切り込むことで設けられており、この切り込まれた蓋片１ｂを捲ると、上記被収容物２の搬入口となる開口部１ａが現れるようになっている。この蓋片１ｂの裏面は、ゴム球体がフェルトから剥がされて切り抜かれており、周知のように、フェルトは通気性を有するので、収容体１の内部に被収容物２を収容したのち、蓋片１ｂにより開口部１ａを覆っても、通気性が十分確保されて、蓋片１ｂから飼い主の匂いが拡散し、犬の興味を惹くことができる。
【００３０】
上記開口部１ａの開口面積は、大き過ぎると、ゴム球体の面積が縮小して強度的に弱くなり、また、弾み難くなってボールとしての機能が低下する。反対に、開口部１ａの開口面積が小さ過ぎると、被収容物２を収容し難くなるという不具合を生じる。これらを考慮すると、直径が約７０ｍｍ程度のテニスボール型のペット用玩具Ｔの場合、開口部１ａの開口面積は、収容体１の表面積の１／１０以上、１／３以下であることが好ましい。もちろん、この割合（特に下限）は、収容体１の大きさによって変えてもよく、収容体１がバスケットボール大のものであれば、開口部１ａの開口面積が、収容体１の表面積の１／２０以下であっても、被収容物２を容易に収容することができる。
【００３１】
上記開口部１ａは蓋片１ｂにより覆われるが、蓋片１ｂにより単に開口部１ａを覆っただけでは、蓋片１ｂがペラペラして内部の被収容物２が飛び出したり、犬が被収容物２を取り出したりしてしまうこともある。そこで本発明は、上記のような不具合を解消するため、図２に示すように、蓋片１ｂ裏面の周縁部に３箇所と、それに対応する収容体１側の開口部１ａの端縁３箇所に、互いが係止する係止部１ｃと被係止部１ｄをそれぞれ設けている。この係止部１ｂ及び被係止部１ｂは面ファスナーであって、一方（本実施形態では蓋片１ｂ側）がフック状（雄型）となっており、もう一方（収容体１側）がループ状（雌型）となっている。このように係止部１ｃと被係止部１ｄを係止させて、開口部１ａを完全に覆うことにより、簡単に蓋片１ｂを開閉することができるにも拘らず、内部の被収容物２が外部に飛び出すといった不具合を防止できるようになっている。
【００３２】
なお、蓋片１ｂにより開口部１ａを確実に覆う（封止する）ことができるのであれば、係止部１ｃ及び被係止部１ｄは、上記のような面ファスナーに限定されるものではなく、例えばチャックやボタン等であっても構わない。但し、チャックを用いる場合は、犬が咥えた際に、金具部分で怪我をしないように配慮する必要があり、ボタンを用いる場合は、ボタンが簡単に取れて犬が誤飲しないように配慮する必要がある。
【００３３】
以上のような構成の本発明のペット用玩具Ｔは、犬が特に好む飼い主の匂いが付着した被収容物２を収容体１の内部に収容しているために、飼い主の匂いは蓋片１ｂから外部に拡散されて、その匂いに気づいた犬は、ペット用玩具Ｔに興味を持つようになる。このように興味を持たせたペット用玩具Ｔを、犬に転がさせたり咥えさせたり噛み付かせたりして遊ばせると、犬は非常に喜び、興味を持続させたまま長期間に亘って遊ばせることができる。したがって、躾の効果も高まり、特に、本実施形態のように、ボール型のペット用玩具Ｔは、犬に投げたものを取りに行かせるなどの躾を行うのに好適な玩具となる。もちろん、このように自分の匂いが付着したもので、犬が嬉しそうに遊んでいるのを見ると、飼い主の精神的満足度も高いものとなる。
【００３４】
また、内部に収容した被収容物２は、外部から視認できないので、被収容物２がパンツや靴下等の人に見られたくないものであったとしても、恥ずかしい思いをする必要はない。
【００３５】
以上、本発明のボール型のペット用玩具Ｔについて詳述してきたが、収容体１の大きさは、テニスボール大のものに限定されるものではなく、バスケットボールのように大きいものであってもよい。また、収容体１の形状は、上記のような真円形状の他、多角形やラグビーボールのような楕円形状をしたものであってもよく、収容体１がラグビーボール型をしたペット用玩具Ｔは、ボールが地面に落ちた際に、不規則に転がったり弾んだりするため、犬の興味を惹きやすいという利点がある。但し、このようなボール型のペット用玩具Ｔは、犬が誤飲する恐れがあるため、収容体１の大きさはテニスボールと同等か、それ以上であることが好ましい。
【００３６】
図３は本発明の第二の実施形態に係るペット用玩具を示す斜視図である。
【００３７】
本実施形態のペット用玩具Ｔ１は、その直径が約１００〜３００ｍｍ程度のボール型の玩具であって、図３に示すように、収容体１は、内部が空洞である半球状の上部材１Ａと、同じく内部が空洞である半球状の下部材１Ｂの２部材から構成されている。この上部材１Ａの下周縁には、係止爪１ｅが下方に向かって突出されており、下部材１Ｂの上周縁には、該係止爪１ｅが係止する方形の孔部１ｆが穿孔されている。そして、この上部材１Ａの係止爪１ｅを下部材１Ｂの孔部１ｆに係止させることにより、上部材１Ａと下部材１Ｂは結合一体化されている。なお、上部材１Ａと下部材１Ｂの結合は、上記の係止爪１ｅと孔部１ｆによる結合の他にも、螺合による結合、溶着による結合など、種々の方法が考えられる。
【００３８】
上記のペット用玩具Ｔ１は、抗菌性を有する合成樹脂（プラスチック）で成形されている。合成樹脂は、周知のように、通気性を有さないため、収容体１の内部に収容される被収容物２の匂いを外部に拡散させるには、通気性を確保する必要がある。そこで、本実施形態では、収容体１の上部材１Ａ及び下部材１Ｂの周面に、円形の通気口１ｇを複数穿孔することにより、十分な通気性を確保している。なお、本実施形態のように、収容体１が合成樹脂製の場合、犬が収容体１を噛んだり咥えたりしても、容易に割れないものを選択する必要がある。
【００３９】
上記上部材１Ａ及び下部材１Ｂから構成される収容体１の内部に収容される被収容物２は、前述したテニスボール型のペット用玩具Ｔと比較すると、収容体１の直径が大きいため、Ｔシャツ、ワイシャツ、パジャマ、スウェット、タオル等、比較的大きいものが好適に用いられる。なお、この図３においても、前述した図２の場合と同様に、収容体１と被収容物２の寸法比率を、実物とは異なるものとしているが、実際の収容体１に対する被収容物２の寸法比率は、図面よりも大きいものである。
【００４０】
上記のように、収容体１には通気口１ｇが穿孔されているため、そのままの状態で、収容体１の内部に、上記のような被収容物２を収容すると、その被収容物２が外部から丸見えとなり好ましくない。このような不具合を解消するには、例えばネットのような袋体３で被収容物２を包んだのち、袋体３を収容体１の内部に収容すると、被収容物２が直接視認できなくなるので好ましい。
本実施形態のペット用玩具Ｔ１のその他の作用・構成は、前述した図１、図２に示す実施形態のペット用玩具Ｔと同様であるので、同一部材に同一符号を附して説明を省略する。
【００４１】
このような合成樹脂製のペット用玩具Ｔ１は、抗菌性を有する合成樹脂で成形されているため、衛生的に使用することができ、また、収容体１を合成樹脂製にすることにより、弾んだり転がったりした際は、音が発生するため、匂いと共に音でも犬の興味を惹くことができる。
【００４２】
図４は本発明の第三の実施形態に係るペット用玩具を示す斜視図である。
【００４３】
この実施形態のペット用玩具Ｔ２は、図４に示すように、左右に配置された２つの球体が１本の棒体で連結された、収容体１が所謂ダンベル型をした玩具であって、この棒体の周面に、被収容物２を収容するための搬入口となる開口部１ａが設けられている。収容体１は、その全体が抗菌性を有するファブリック素材で縫製されたものであり、このようなファブリック素材は通気性を有することから、前述した図１〜図３に示す実施形態のペット用玩具Ｔ，Ｔ１の収容体１のように、別途通気口を設けなくても、収容体１全体から飼い主の匂いが外部に拡散されるようになっている。
【００４４】
上記収容体１は、ファブリック素材であれば特に限定されるものではないが、収容体１がダンベル型であることから、犬に咥えさせたり噛み付かせたりして遊ぶのに適した形状をしている。したがって、収容体１を形成するファブリック素材としては、噛んだり咥えたりしても、容易に破れない厚手のものを選択することが好ましく、伸縮性が高ければより好ましい。また、本実施形態のように、ファブリック素材の表面が起毛されたものであれば、蓋片１ｂの裏面に設けられた係止部１ｃ（フック状の面ファスナー）と係止する被係止部１ｄを別途設けるという手間が省ける。もちろん、ファブリック素材の種類によっては、係止部１ｃ（フック状の面ファスナー）と係止しないことも考えられるが、そのような場合は、係止部１ｃと係止する被係止部１ｄを、収容体１の棒体に設ければよい。
【００４５】
なお、収容体１の形状は、上記のようなダンベル型の他にも、ロープ型、ボーン（骨）型、リング型、ブーメラン型、円盤型等、種々の形状が考えられ、その内部に収容される被収容物２は、収容体１の形状や大きさ等を考慮して適宜選択すればよい。また、収容体１の全体をファブリック素材で形成することにより、通気性が非常に高くなって、飼い主の匂いをより認識し易くなることから、犬がペット用玩具Ｔ２を犬小屋に持ち帰るなど、常にペット用玩具Ｔ２と過ごすことも想定される。このことから、就寝の際にも安心感を与える、例えば三日月状のようなクッション型のペット用玩具Ｔ２も好適に用いられる。
【００４６】
上記収容体１は、衛生面を考慮すると、本実施形態のように、抗菌性を有することが好ましいが、たとえ収容体１が抗菌性を有しないファブリック素材で形成されていたとしても、通常のクッションやぬいぐるみ等のように、内部に綿等が充填されていないため、洗濯しても乾燥が早く、頻繁に洗濯を行うことによって衛生的に使用することができる。
本実施形態のペット用玩具Ｔ２のその他の作用・構成は、前述した図１〜図３に示す実施形態のペット用玩具Ｔ，Ｔ１と同様であるので、同一部材に同一符号を附して説明を省略する。
【００４７】
上記構成のペット用玩具Ｔ２は、収容体１を柔らかいファブリック素材で形成することにより、怪我の心配をすることなく犬を安全に遊ばせることができる。このようなペット用玩具Ｔ２は、上記のように、常に犬がペット用玩具Ｔ２と共に過ごすことも想定されることから、前述した図１〜図３の実施形態のペット用玩具Ｔ，Ｔ１が、どちらかと言えば躾用の知育玩具であったのに対し、本実施形態のペット用玩具Ｔ２は、犬に喜びと安心感を与える玩具となっている。
【００４８】
図５は本発明の第四の実施形態に係るペット用玩具を示す斜視図であり、図６は当該ペット用玩具の分解図である。
【００４９】
この実施形態のペット用玩具Ｔ３はボール型の玩具であって、図５及び図６に示すように、収容体１は、中空状の球体を略２分割した上部球体片１Ａ’及び下部球体片１Ｂ’の嵌合によって形成されている。上部球体片１Ａ’及び下部球体片１Ｂ’には、上部嵌合部１Ｃ’及び下部嵌合部１Ｄ’が備わっており、上部嵌合部１Ｃ’と下部嵌合部１Ｄ’を嵌合させることにより、略球状のペット用玩具Ｔ３が形成される。
【００５０】
収容物２を上部球体片１Ａ’及び下部球体片１Ｂ’の内部に配置した状態で、上部嵌合部１Ｃ’と下部嵌合部１Ｄ’を嵌合させることにより、収容体１の内部に被収容物２を容易に収納することができる。なお、被収容物２には、ペット用玩具Ｔ，Ｔ１及びＴ２の場合と同様に、飼い主の匂いが付着したものを用いることができるが、被収容物２が収容体１の内部に完全に収納されている必要はなく、一部が外部に位置してもよい。
【００５１】
ここで、嵌合させた状態における上部嵌合部１Ｃ’と下部嵌合部１Ｄ’の合計全長は、上部球体片１Ａ’と下部球体片１Ｂ’を完全に密着させて形成される球体の直径よりも長く設定されている。よって、上部球体片１Ａ’と下部球体片１Ｂ’の端部は完全に密着せず、上部球体片１Ａ’及び下部球体片１Ｂ’の間にはギャップが存在することから、当該ギャップが通気口となり、収容体１の内部に収納した被収容物２の匂いを効率よく外部に拡散させることができる。
【００５２】
上部球体片１Ａ’及び下部球体片１Ｂ’の素材には、本発明の効果を損なわない範囲で従来公知の種々の素材を用いることができ、例えば、抗菌性を有する合成樹脂（プラスチック）を用いることができる。なお、本実施形態のペット用玩具Ｔ３のその他の作用・構成は、前述した図１〜図４に示す実施形態のペット用玩具Ｔ，Ｔ１及びＴ２と同様であるので、同一部材に同一符号を附して説明を省略する。
【００５３】
図７は本発明の第五の実施形態に係るペット用玩具を示す斜視図である。
【００５４】
この実施形態のペット用玩具Ｔ４は中空筒状の玩具であって、図７に示すように、収容体１は螺旋形状を有しており、蛇を模した形状となっている。また、収容体１は上端及び下端に開口部を有していることから、被収容物２を収容体１の内部に容易に挿入することができる。
【００５５】
収納体１は所謂スプリング形状となっており、長手方向にある程度伸縮可能であることから、収納体１からの応力によって被収容物２を保持することができる。加えて、収容体１の隙間から、被収容物２の匂いを効率よく外部に拡散させることができる。
【００５６】
なお、収容体１の形状は図７に示す形状に限定されず、被収容物２の挿入が可能な中空筒状であればよい。また、被収容物２には、ペット用玩具Ｔ，Ｔ１，Ｔ２及びＴ３の場合と同様に、飼い主の匂いが付着したものを用いることができるが、被収容物２が収容体１の内部に完全に収納されている必要はなく、一部が外部に位置してもよい。
【００５７】
収容体１の素材には、本発明の効果を損なわない範囲で従来公知の種々の素材を用いることができるが、適度な可変性を有するものが好ましい。収容体１の素材としては、例えば、抗菌性を有する合成樹脂（プラスチック）、ゴム及びファブリック素材を好適に用いることができる。なお、本実施形態のペット用玩具Ｔ４のその他の作用・構成は、前述した図１〜図６に示す実施形態のペット用玩具Ｔ，Ｔ１，Ｔ２及びＴ３と同様であるので、同一部材に同一符号を附して説明を省略する。
【００５８】
以上、本発明の代表的な５つの実施形態を詳述してきたが、本発明はこれらの形態に限定されるものではなく、種々の設計変更を許容し得るものである。例えば、収容体１の形状が、ボールが連なった団子状のものやテトラ状のものであってもよく、犬、猫、パンダ、熊等の動物の形を真似たものや、或いは、お菓子、パン、野菜、果物等の食べ物の形を真似たものであってもよい。
【００５９】
また、収容体１の材質は、図１、図２に示すゴムとフェルト、図３に示す合成樹脂製（プラスチック）、図４に示すファブリック素材の他にも、これらの材質を混合したもの、例えば前述した図３に示す実施形態のペット用玩具Ｔ１の収容体１を、図４に示す実施形態のファブリック素材で包み込んだような玩具であってもよい。その他にも、ヘチマ、ＰＥＴ、スポンジ等を用いることも考えられる。
【００６０】
以上のような構成の本発明のペット用玩具Ｔは、主に嗅覚の非常に優れた犬と遊ぶことを想定して開発されたものではあるが、猫やうさぎ等のペットも、犬程ではないにせよ嗅覚が優れているため、これらのペット用玩具とすることも可能である。このように本発明は、種々の設計変更を許容し得るものであり、通気性を有する収容体１の内部に、飼い主の匂いが付着した被収容物２を収容するペット用玩具であれば、本発明の技術的範囲に含まれる。
【符号の説明】
【００６１】
Ｔ，Ｔ１，Ｔ２，Ｔ３，Ｔ４  ペット用玩具
１    収容体
１Ａ  上部材
１Ｂ  下部材
１ａ  開口部
１ｂ  蓋片
１ｃ  係止部
１ｄ  被係止部
１ｅ  係止爪
１ｆ  孔部
１ｇ  通気口
１Ａ’上部球体片
１Ｂ’下部球体片
１Ｃ’上部嵌合部
１Ｄ’下部嵌合部
２    被収容物
３    袋体
【図１】
2015221030.tif 000003
【図２】
2015221030.tif 000004
【図３】
2015221030.tif 000005
【図４】
2015221030.tif 000006
【図５】
2015221030.tif 000007
【図６】
2015221030.tif 000008
【図７】
2015221030.tif 000009